(57)【要約】【課題】重量物を搬送するコンベア装置において、簡易な装置で、小馬力の電動モーターを用いて搬送物を分岐できる移載装置およびこの移載装置を用いたコンベア装置を提供する。【解決手段】第１のコンベアラインの搬送方向の垂直な方向に平行配置される複数のローラからなるローラ群平面と、第２のコンベアラインの搬送方向に平行する２本のローラチェーンからなる平面と、これら２つの平面の下方に配置される複数のカム７とを備え、ローラ群平面の一辺がカム軸の回転により上死点または下死点となるとき、ローラチェーン平面が下死点または上死点となるカム群の組み合わせである。【選択図】図３
2012250809.tif 000002
【特許請求の範囲】
【請求項１】
第１のコンベアラインにより搬送される搬送物の搬送方向を変更する位置に配置されて、前記搬送物を第２のコンベアラインに移載させる移載装置であって、
該移載装置は、基台と、この基台上に配設され、前記第１のコンベアラインの搬送方向に対して垂直な方向に平行配置される複数のローラからなるローラ群と、前記第２のコンベアラインの搬送方向に平行配置される少なくとも２本のローラチェーンと、前記ローラ群が形成するローラ群平面および前記ローラチェーンが形成するローラチェーン平面の下方に配置されて、前記ローラ群平面および前記ローラチェーン平面を相互に連動させて昇降させる複数のカムとを備え、
前記ローラ群平面は、前記複数のローラの両端がローラフレームにより軸支され、一方のローラフレームが軸部により前記基台に回動自在に支持され、他方のローラフレームが前記カムの回転により上下動し、
前記ローラチェーン平面は、ローラチェーンの両端がローラ軸により軸支され、このローラ軸がローラチェーンフレームにより軸支され、前記ローラ群平面を形成する他方のローラフレーム側に位置するローラ軸が前記基台に回動自在に軸支され、他方のローラ軸が前記カムの回転により上下動し、
前記複数のカムは、前記他方のローラフレームがカム軸の回転により上死点または下死点となるとき、前記ローラチェーン平面の他方のローラ軸がカム軸の回転により、前記他方のローラフレームにそれぞれ対応して、下死点または上死点となるカム群の組み合わせであることを特徴とする移載装置。
【請求項２】
前記ローラ群の少なくとも１つは駆動用ローラであり、残りのローラは前記駆動用ローラの出力軸に連結される動力伝達手段により前記駆動用ローラと同一方向に回転することを特徴とする請求項１記載の移載装置。
【請求項３】
前記ローラチェーンの両端を軸支するローラ軸の少なくとも１つは駆動用ローラであることを特徴とする請求項１または２記載の移載装置。
【請求項４】
前記複数のカムは、１つの駆動モータの出力軸に連動するカム軸に固定されていることを特徴とする請求項１、請求項２または請求項３記載の移載装置。
【請求項５】
第１のコンベアラインにより搬送される搬送物の搬送方向を変更する位置に配置され、前記搬送物を第２のコンベアラインに移載させる移載装置を備えたコンベア装置であって、
前記移載装置が請求項１ないし請求項４のいずれか１項記載の移載装置であることを特徴とするコンベア装置。
【発明の詳細な説明】
【技術分野】
【０００１】
この発明は移載装置およびコンベア装置に関する。
【背景技術】
【０００２】
製品組み立てや、物品収納・仕分けに多用されているコンベア装置は、一方向のコンベアラインのみならず、途中で分岐するコンベアラインがあり、分岐部分において移載装置が配置されている。製品や物品などの搬送物は、一方向のコンベアラインから分岐して他方向のコンベアラインに移載装置により方向転換して搬送される。
従来、このような移載装置としては、行および列方向に格子状に配列された複数のローラと、これら複数のローラを昇降させる昇降部とを有し、この昇降部が昇降用動力源と、直線運動部材と、該直線運動部材の直線運動を回転運動に変換すると共に当該回転運動を昇降運動に変換してローラに伝導可能な複数の変換部材からなる移載装置が知られている（特許文献１）。
しかし、この移載装置は、格子状に配列された複数のローラ群、または、複数の変換部材を必要としており、機構が複雑になると共に、重量物の搬送が困難であるという問題がある。
【０００３】
また、電動リフト装置として、基台とこの基台に昇降支持したテーブルとの間にリフトアームを介装し、このリフトアームを電動モータにより回動させてテーブルを昇降させるときに、リフトアームを電動モータに対して両側に配置し、該電動モータの出力軸に両側対称に配置した動力伝達手段により回動させる電動リフト装置が知られている（特許文献２）。
しかし、この電動リフト装置は、平行に上下するテーブルが必要であり、また、このテーブルを上下に昇降させるには搬送物を持ち上げるための大きな駆動力を必要とする電動モータが必要であることから、特許文献１と同様に、重量物の搬送が困難であるという問題がある。
【先行技術文献】
【特許文献】
【０００４】
【特許文献１】特開２０１０−１９５５６３
【特許文献２】特許第２８２５８０２号
【発明の概要】
【発明が解決しようとする課題】
【０００５】
本発明は、上記問題に対処するためになされたもので、重量物を搬送するコンベア装置において、簡易な装置で、小馬力の電動モーターを用いて搬送物を分岐できる移載装置およびこの移載装置を用いたコンベア装置の提供を目的とする。
【課題を解決するための手段】
【０００６】
本発明の移載装置は、第１のコンベアラインにより搬送される搬送物の搬送方向を変更する位置に配置されて、上記搬送物を第２のコンベアラインに移載させる移載装置であって、
該移載装置は、基台と、この基台上に配設され、上記第１のコンベアラインの搬送方向に対して垂直な方向に平行配置される複数のローラからなるローラ群と、上記第２のコンベアラインの搬送方向に平行配置される少なくとも２本のローラチェーンと、上記ローラ群が形成するローラ群平面および上記ローラチェーンが形成するローラチェーン平面の下方に配置されて、上記ローラ群平面および上記ローラチェーン平面を相互に連動させて昇降させる複数のカムとを備える。
【０００７】
上記ローラ群平面は、上記複数のローラの両端がローラフレームにより軸支され、一方のローラフレームが軸部により上記基台に回動自在に支持され、他方のローラフレームが上記カムの回転により上下動し、
上記ローラチェーン平面は、ローラチェーンの両端がローラ軸により軸支され、このローラ軸がローラチェーンフレームにより軸支され、上記ローラ群平面を形成する他方のローラフレーム側に位置するローラ軸が上記基台に回動自在に軸支され、他方のローラ軸が上記カムの回転により上下動し、
上記複数のカムは、上記他方のローラフレームがカム軸の回転により上死点または下死点となるとき、上記ローラチェーン平面の他方のローラ軸がカム軸の回転により、上記他方のローラフレームにそれぞれ対応して、下死点または上死点となるカム群の組み合わせであることを特徴とする。
【０００８】
本発明の移載装置において、第１のコンベアラインに平行配置される複数のローラからなるローラ群は、そのローラ群の少なくとも１つが駆動用ローラであり、残りのローラが該駆動用ローラの出力軸に連結される動力伝達手段により上記駆動用ローラと同一方向に回転することを特徴とする。
また、上記ローラチェーンの両端を軸支するローラ軸の少なくとも１つは駆動用ローラであることを特徴とする。
また、上記複数のカムは、１つの駆動モータの出力軸に連動するカム軸に固定されていることを特徴とする。
【０００９】
本発明のコンベア装置は、第１のコンベアラインにより搬送される搬送物の搬送方向を変更する位置に配置され、前記搬送物を第２のコンベアラインに移載させる上記本発明の移載装置を備えることを特徴とする。
【発明の効果】
【００１０】
本発明の移載装置は、ローラ群平面とローラチェーン平面とがカムの回転運動により、相互に連動して昇降するので、簡易な機構で第１のコンベアラインから第２のコンベアラインに搬送物を移載できる。また、ローラ群平面の一辺、およびローラチェーン平面の一辺がそれぞれ基台上に軸支され、他辺が自由端となりカムの回転運動により上下動するので、重量物の搬送物であっても小馬力の電動モータを用いて容易に搬送方向を変更して移載できる。
搬送物の移載の駆動力は駆動用ローラにより行なうので、省エネルギー、省スペースが実現できる。
【図面の簡単な説明】
【００１１】
【図１】コンベア装置の平面図である。
【図２】移載装置を示す図である。
【図３】コンベアラインから移載装置を経て他のコンベアラインへの動作を示す図である。
【発明を実施するための形態】
【００１２】
本発明の移載装置の一実施形態を図１〜図３により説明する。図１はコンベア装置の平面図である。
本発明の移載装置１は、第１のコンベアライン２により搬送される搬送物（図示を省略）の搬送方向を図面上下方向から図面右方向に変更する位置に配置されて、搬送物を第２のコンベアライン３に移載させる移載装置である。すなわち、搬送物を図中Ａ点方向からＢ点位置へ搬入してＣ点方向へ搬出するか、または、Ｃ点方向からＢ点位置へ搬入してＡ点方向へ搬出する移載装置である。
また、第１のコンベアライン２から第２のコンベアライン３への移載は、必ずしも直角方向への移載ではなく、搬送物の搬送ができる範囲内での角度方向への分岐ができる。
第１および第２のコンベアラインはローラコンベアライン、ベルトコンベアライン等を採用できるが、重量の重い搬送物を搬送するのに適しているローラコンベアラインが好ましい。また移載の方向は図１に示すＴ字型以外に、Ｌ字型、十字型であってもよい。
【００１３】
図２は移載装置を示す図であり、図２（ａ）は平面図を、図２（ｂ）は側面図を、図２（ｃ）は図２（ａ）のＡ−Ａ断面図を、図２（ｄ）は図２（ｂ）のＢ−Ｂ断面図を、図２（ｅ）は図２（ｂ）のＣ−Ｃ断面図をそれぞれ示す。
移載装置１は、基台４上にローラ群５と、ローラチェーン６と、カム７とを備えている。
ローラ群５は、第１のコンベアライン２の搬送方向に対して垂直な方向に平行配置される複数のローラ５ａ、５ｂから構成され、ローラ群５により１つの平面を形成している。ローラ群５はローラフレーム５ｃおよび５ｄにより軸支されている。ローラフレーム５ｃの両端部５ｃ’は、基台４に設けられたヒンジブラケット４ａに軸５ｇでローラフレーム５ｃの下部に設けられたブラケット５ｈを介して回動自在に軸支されている。また、ローラフレーム５ｄの両端部５ｄ’は、カム７ａの回転により上下動する。
【００１４】
ローラ５を構成するローラ５ａは駆動用ローラであり、その他の残りのローラ５ｂは従動ローラである。駆動用ローラとしては、小馬力の電動モータローラを挙げることができる。
駆動用ローラ５ａの出力軸に設けられるスプロケット５ｅと、ローラ５ｂに設けられているスプロケット５ｅ間に巻き掛けられているチェーン５ｆにより、駆動用ローラ５ａの出力軸の回転がローラ５ｂに伝達され、駆動用ローラ５ａとローラ５ｂとは同一方向に回転する。
駆動用ローラ５ａとしてモータローラを使用することで、駆動ベースが不要となり、ローラ群５の下方に複数のカムを配置することができ、省スペース設計が可能となる。また、モータローラのモータは直流モータ、交流モータを使用できる。特に直流モータを使用することにより、消費電力を削減することができ、モータ制御が容易となる。
【００１５】
２本のローラチェーン６が第２のコンベアライン３の搬送方向に平行する方向に配置され、この２本のローラチェーン６により１つのローラチェーン平面を形成する。ローラチェーン平面の断面を図２（ｃ）に示す。
ローラチェーン平面は、無端状のローラチェーン６の一端がローラ軸６ａのスプロケットに、他端６ｂがローラチェーン６が掛け渡されるスプロケットに、それぞれ掛け渡されて１つの平面を形成している。ローラ軸６ａの両端部６ａ’は、基台４に設けられたヒンジブラケット４ｂに軸６ｃで回動自在に軸支されている。また、ローラチェーンの他端６ｂ、６ｂは、カム７ｂの回転により同時に上下動する。
なお、ローラ軸６ａは駆動用ローラである。
【００１６】
ローラ群平面およびローラチェーン平面の下方に複数のカム７が配置され、ローラ群平面およびローラチェーン平面を相互に連動させて昇降させる。ローラ群平面により搬送物が移動されるときはローラチェーン平面が搬送物に接しないように下方に、ローラチェーン平面により搬送物が移動されるときはローラ群平面が搬送物に接しないように下方にそれぞれ位置するように、カム７の形状が設定されている。
【００１７】
カム７は、図２（ｄ）に示すように、１つの駆動モータ８の出力軸に設けられるスプロケット８ａと、カム軸７ｃに設けられているスプロケット８ｃ間に掛け渡されているチェーン８ｂにより、駆動モータ８の出力軸の回転がカム軸７ｃに固定されているカム７ａ、７ｂに伝達される。
カム７の形状は、ローラフレーム５ｄがカム軸７ｃの回転により上死点となるとき、ローラ軸６ｂがカム軸７ｃの回転により下死点となるカム群の組み合わせである。
【００１８】
以下、図１に示す、第１のコンベアライン２のＡ点方向から移載装置１のＢ点位置へ搬送物を搬入して、Ｂ点位置から第２のコンベアライン３のＣ点方向へ搬出する場合の動作について図３により説明する。
図示を省略した搬送物はローラ２ａにより、移載装置１のＢ点位置へ搬入される。搬入時の移載装置１を図３（ａ）に、そのときのカムの動きを図３（ａ’）に示す。
搬入時には、カム７ａおよび７ｂは駆動モータ８の回転に従動して回転し、カム７ｂに接しているカムフォロア７ｅが上下動の下死点となる。このカムフォロア７ｅをガイドローラとするブラケット６ｄに固定されているローラチェーン６の端部６ｂは、ローラ群を軸支するローラフレーム５ｃよりも下方に位置する。また、カム７ａに接しているカムフォロア７ｄが上死点となる。このカムフォロア７ｄをガイドローラとするブラケット５ｉに固定されているローラフレーム５ｄがローラチェーン平面よりも上方に位置する。カム機構を上記のように設定することで、ローラチェーン６により形成されるローラチェーン平面を、ローラ群５が形成する平面よりも下面に位置させる。具体的にはローラ群５が形成する平面を第１のコンベアライン２の平面と略同一の平面に設定して、ローラチェーン６が形成する平面はローラ軸６ａを回転軸として、図３（ａ）において、左下がりの斜面となる。
【００１９】
搬送物は移載装置１に搬入されＢ点で停止する。この搬送物の搬入・停止は、移載装置１に設けられている駆動用ローラ５ａの回転・停止により容易に行なうことができる。
停止時のカム７は図３（ｂ’）に示す位置まで回転し、ローラ群５が形成する平面およびローラチェーン平面が略同一平面となる図３（ｂ）。このとき、搬送物の搬送方向は搬入時の方向である。
【００２０】
図３（ｂ’）に示す位置からカム７ａおよび７ｂが同時に回転して、カム７ｂに接しているカムフォロア７ｅが上死点となることにより、このカムフォロア７ｅをガイドローラとするブラケット６ｄに固定されているローラチェーン６の端部６ｂがローラ群を軸支するローラフレーム５ｃよりも同一の高さになるか、または僅かに上方に位置する。同時に、カム７ａに接しているカムフォロア７ｄが下死点となる。その結果、このカムフォロア７ｄをガイドローラとするブラケット５ｉに固定されているローラフレーム５ｄがローラチェーン平面よりも下方に位置する。具体的にはローラチェーン６が形成する平面を第１のコンベアライン２および第２のコンベアライン３の平面と略同一の平面に設定して、ローラ群５が形成する平面は、ローラフレーム５ｃに連結している軸５ｇを回転軸として、図３（ｃ）において、右下がりの斜面となる。
カム７の動きにより、ローラチェーン６で形成される平面がローラ群５により形成される平面よりも上面に位置する状態となる。この状態で駆動用ローラであるローラ軸６ａを駆動することにより、搬送物はＢ点位置から第２のコンベアライン３のＣ点方向へローラチェーン６の回転により移動する。
【００２１】
本発明の移載装置は、ローラ群５により形成される平面、およびローラチェーン６で形成される平面が、それぞれ平面視四角形の一辺を軸支して、この軸支されている一辺の対辺がカム機構により上下動する。この上下動により、ローラ群５により形成される平面とローラチェーン６で形成される平面とが順に搬送物に接する。その結果、第１のコンベアライン２から第２のコンベアライン３に搬送物を移載できる。各平面の上下動は、カム機構により行なうが、四角形の一辺が軸支されているので、最大でも搬送物の重量の１／２の重量で移載できる。このため、電動リフト装置などを用いて搬送物を上下動させる移載装置に比較して、重量搬送物の移載が可能となる。
【００２２】
本発明のコンベア装置は、上記本発明の移載装置と従来のコンベアラインとを組み合わせることで、分岐をもったコンベア装置を容易に構成できる。また、本発明の移載装置は実質的に搬送物の高さを変更しないので、従来のコンベアラインとの組み合わせが容易にできる。特に、高トルクの直流モータを駆動源とするコンベアラインと組み合わせることが、電源および制御システムを共用できるので好ましい。
【産業上の利用可能性】
【００２３】
本発明の移載装置は、簡易な機構で第１のコンベアラインから第２のコンベアラインに重量物の搬送物を移載できるので、多くの搬送システムに利用できる。また、移載装置自身に駆動源を有し、省エネルギー、省スペースであると共に、移載時の高さ変動が少ないので精密部品、割れやすい搬送物なの搬送システムに利用できる。
【符号の説明】
【００２４】
１    移載装置
２    第１のコンベアライン
３    第２のコンベアライン３
４    基台
５    ローラ群
６    ローラチェーン
７    カム
８    駆動モータ
【図１】
2012250809.tif 000003
【図２】
2012250809.tif 000004
【図３】
2012250809.tif 000005